(57)【要約】【課題】床の基端部と、この基端部を支持する支持部材とを容易かつ確実に連結することができる床の連結構造を提供する。【解決手段】跳出し床（床）１の基端部と支持部材６との間に段差が生じている場合に、この段差をガセットプレート７の傾斜板部７ｃによって吸収して、ガセットプレート７の第１固定板部７ａを跳出し床１の基端部に確実に固定でき、第２固定板部７ｂを支持部材６に確実に固定できる。したがって、跳出し床１の基端部とこの基端部を支持する支持部材６とを容易かつ確実に連結することができる。【選択図】        図１
2004176274.tif 000002
【特許請求の範囲】
【請求項１】
床の中間部が中間支持部材によって下方から支持され、前記床の基端部が支持部材によって下方から支持されるとともに該支持部材に連結された床の連結構造であって、
前記床の基端部と支持部材とは金属製のガセットプレートによって連結されており、
このガセットプレートは、前記床に固定される第１固定板部と、前記支持部材に固定される第２固定板部と、これら第１固定板部と第２固定板部に対して傾斜して、これら第１固定板部と第２固定板部とを連結する傾斜板部とによって一体的に形成されていることを特徴とする床の連結構造。
【請求項２】
請求項１に記載の床の連結構造において、
前記床は、建物の外部に少なくとも先端部が跳ね出している跳出し床であり、
この跳出し床の基端部は前記支持部材によって下方から支持され、前記跳出し床の中間部は中間支持部材である下階の外壁によって下方から支持されており、
前記跳出し床の基端部と支持部材とは金属製のガセットプレートによって連結されていることを特徴とする床の連結構造。
【請求項３】
請求項２に記載の床の連結構造において、
前記跳出し床の基端部は前記支持部材の上面略前半分に設置されて支持されており、前記ガセットプレートの前記第１固定板部は、前記跳出し床の基端部の芯材の裏面に固定され、前記第２固定板部は前記支持部材の前面に固定されていることを特徴とする床の連結構造。
【請求項４】
請求項２または３に記載の床の連結構造において、
前記跳出し床の中間部にある連結部と下階の外壁とは金属製のガセットプレートによって連結されており、
このガセットプレートは前記跳出し床の連結部に固定される第１固定板部と、前記下階の外壁に固定される第２固定板部と、これら第１固定板部と第２固定板部に対して傾斜して、これら第１固定板部と第２固定板部とを連結する傾斜板部とによって一体的に形成されていることを特徴とする床の連結構造。
【請求項５】
請求項４に記載の床の連結構造において、
前記跳出し床の中間部上に上階の外壁が設置されており、この外壁に掃出し窓用の開口部が形成されている場合、
前記開口部下の跳出し床の中間部にある連結部と下階の外壁とが前記ガセットプレートによって連結されていることを特徴とする床の連結構造。
【請求項６】
請求項４に記載の床の連結持構造において、
前記跳出し床の基端部上に上階の外壁が設置されており、この外壁に掃出し窓用の開口部が形成されている場合、
前記開口部下の跳出し床の基端部と前記支持部材とが前記ガセットプレートによって連結されていることを特徴とする床の連結構造。
【請求項７】
請求項２〜５のいずれか一項に記載の床の連結構造において、
前記ガセットプレートの第１固定板部は、止着材を第１固定板部から跳出し床に向けて水平に打ち込むことによって、跳出し床に固定されており、
前記ガセットプレートの第２固定板部は、止着材を第２固定板部から支持部材または下階の外壁に向けて水平に打ち込むことによって、支持部材または下階の外壁に固定されていることを特徴とする床の連結構造。
【発明の詳細な説明】
【０００１】
【発明の属する技術分野】
本発明は建物の外部に跳ね出している跳出し床等の床を支持部材に連結する床の支持構造に関する。
【０００２】
【背景の技術】
近年、住宅の構築については、部材の工場生産化が進み、例えば、壁、床、屋根等のような構成部材を予め工場においてパネルとして製造し、これらのパネルを現場で組み立てることによって住宅を構築する、いわゆるパネル工法が採用されている。ところで、このような工法を用いて外壁から張出してなるバルコニーを形成する場合には、床パネルで構成されたバルコニー床を片持ちとなるように住宅の外壁から張出して躯体に固定する方法が一般に採用されている。
すなわち、バルコニー床を、床パネルを複数枚接合することによって形成し、これら床パネルによって形成されたバルコニー床の先端部を外壁から跳出すとともに、基端部をまぐさ等の支持部材に固定し、さらに、中間部を１階の外壁に埋木を介して固定することによって、外壁から跳出したバルコニー床を形成している。（例えば、特許文献１参照。）。
【０００３】
【特許文献１】
特開平１１−３６７２３号公報
【０００４】
【発明が解決しようとする課題】
ところで、前記公報に記載の技術では、跳出し床の中間部が下階の外壁によって下方から支持されているので、跳出し床の基端部には、中間部を支点として上向きに力が作用する。したがって、この跳出し床の基端部をまぐさ等の支持部材に強固に連結するために合板で形成された合板ガセットを使用している。
しかし、跳出し床の基端部の芯材と、まぐさ等の支持部材とは厚さが異なる場合が多いので、まぐさ等の支持部材の表面と、跳出し床の基端部の芯材の表面とには段差が生じている。したがって、この段差を解消するために、例えば、芯材の表面に段差の分だけの厚さのパッキン材を固定し、このパッキン材を介して合板ガセットによって、跳出し床の基端部の芯材と、まぐさ等の支持部材とを連結している。このように、跳出し床の基端部と、支持部材とを連結するために、合板ガセットと、パッキン材とを使用しているので、部品点数が多くなるとともに、パッキン材を跳出し床基端部の芯材に固定した後、合板ガセットによって跳出し床基端部の芯材と、まぐさ等の支持部材とを連結しているので、手間がかかるという問題がある。
【０００５】
本発明は上記事情に鑑みてなされたもので、跳出し床等の床の基端部と、この基端部を支持する支持部材とを容易かつ確実に連結することができる床の連結構造を提供することを目的としている。
【０００６】
【課題を解決するための手段】
上記目的を達成するために、請求項１に記載の発明は、例えば図１〜図６に示すように、床（例えば跳出し床）１の中間部が中間支持部材（例えば下階の外壁）２によって下方から支持され、前記床１の基端部が支持部材６によって下方から支持されるとともに該支持部材６に連結された床の連結構造であって、
前記床１の基端部と支持部材６とは金属製のガセットプレート７によって連結されており、
このガセットプレート７は、前記床１に固定される第１固定板部７ａと、前記支持部材６に固定される第２固定板部７ｂと、これら第１固定板部７ａと第２固定板部７ｂに対して傾斜して、これら第１固定板部７ａと第２固定板部７ｂとを連結する傾斜板部７ｃとによって一体的に形成されていることを特徴とする。
【０００７】
請求項１に記載の発明によれば、床１の基端部と支持部材６との間に段差が生じている場合に、この段差をガセットプレート７の傾斜板部７ｃによって吸収して、ガセットプレート７の第１固定板部７ａを床１の基端部に確実に固定でき、第２固定板部７ｂを支持部材６に確実に固定できる。したがって、床１の基端部と、この基端部を支持する支持部材６とを容易かつ確実に連結することができる。
また、床１の基端部と支持部材６との間の段差は、床１の基端部の厚さや、支持部材６の厚さによって、違ってくるが、傾斜板部７ｃの傾斜角を調整することによって、床１の基端部と支持部材６との間の段差の違いに容易に対応できる。
【０００８】
請求項２に記載の発明は、例えば図１〜図６に示すように、請求項１に記載の床の連結構造において、
前記床は、建物の外部に少なくとも先端部が跳ね出している跳出し床であり、
この跳出し床の基端部は前記支持部材によって下方から支持され、前記跳出し床の中間部は中間支持部材である下階の外壁によって下方から支持されており、
前記跳出し床の基端部と支持部材とは金属製のガセットプレートによって連結されていることを特徴とする。
【０００９】
ここで、跳出し床１の基端部を支持する支持部材６は、まぐさや梁等横架材であってもよいし、建物内に設けられた耐力壁であってもよい。
【００１０】
請求項２に記載の発明によれば、跳出し床１の基端部と支持部材６との間に段差が生じている場合に、この段差をガセットプレート７の傾斜板部７ｃによって吸収して、ガセットプレート７の第１固定板部７ａを跳出し床１の基端部に確実に固定でき、第２固定板部７ｂを支持部材６に確実に固定できる。したがって、跳出し床１の基端部と、この基端部を支持する支持部材６とを容易かつ確実に連結することができる。
また、跳出し床１の基端部と支持部材６との間の段差は、跳出し床１の基端部の厚さや、支持部材６の厚さによって、違ってくるが、傾斜板部７ｃの傾斜角を調整することによって、跳出し床１の基端部と支持部材６との間の段差の違いに容易に対応できる。
【００１１】
請求項３に記載の発明は、例えば図１および図４に示すように、請求項２に記載の床の連結構造において、
前記跳出し床１の基端部は前記支持部材６の上面略前半分に設置されて支持されており、前記ガセットプレート７の前記第１固定板部７ａは、前記跳出し床１の基端部の芯材１ａの裏面１ｃに固定され、前記第２固定板部７ｂは前記支持部材６の前面６ａに固定されていることを特徴とする。
【００１２】
請求項３に記載の発明によれば、支持部材６の上面略前半分に跳出し床１の基端部が載置されているので、この支持部材６の上面略後半分に、他の床８の先端部を載置することによって、支持部材６上で床どうしを接合できる。
この場合に、ガセットプレート７の第１固定板部７ａが、跳出し床１の基端部の芯材１ａの裏面１ｃに固定され、第２固定板部７ｂが支持部材６の前面６ａに固定されているので、他の床８が邪魔になることなく、跳出し床１の基端部を支持部材６に容易かつ確実に連結できる。
【００１３】
請求項４に記載の発明は、例えば図１および図６に示すように、請求項２または３に記載の床の連結構造において、
前記跳出し床１の中間部にある連結部（埋木）１５と下階の外壁２とは金属製のガセットプレート７によって連結されており、
このガセットプレート７は前記跳出し床１の連結部１５に固定される第１固定板部７ａと、前記下階の外壁２に固定される第２固定板部７ｂと、これら第１固定板部７ａと第２固定板部７ｂに対して傾斜して、これら第１固定板部７ａと第２固定板部７ｂとを連結する傾斜板部７ｃとによって一体的に形成されていることを特徴とする。
【００１４】
請求項４に記載の発明によれば、跳出し床１の中間部は下階の外壁２によって下方から支持されているので、跳出し床１に下方から風等による吹き上げによって力が作用すると、跳出し床１の中間部には上方に持ち上げられるような力が作用するが、跳出し床１の中間部にある連結部１５と下階の外壁２とが金属製のガセットプレート７によって連結されているので、持ち上げられる力に抗して、跳出し床１の中間部と下階の外壁２を確実に連結することができる。
また、跳出し床１の中間部と下階の外壁２との間に段差が生じている場合に、この段差をガセットプレート７の傾斜板部７ｃによって吸収して、ガセットプレート７の第１固定板部７ａを跳出し床１の連結部１５に確実に固定でき、第２固定板部７ｂを外壁２に確実に固定できる。したがって、跳出し床１の中間部と、この中間部を支持する下階の外壁２とを容易かつ確実に連結することができる。
【００１５】
請求項５に記載の発明は、例えば図１および図５に示すように、請求項４に記載の床の連結構造において、
前記跳出し床１の中間部上に上階の外壁１２が設置されており、この外壁１２に掃出し窓用の開口部１３が形成されている場合、
前記開口部１３下の跳出し床の中間部にある連結部１５と下階の外壁２とが前記ガセットプレートによって連結されていることを特徴とする。
【００１６】
跳出し床１の中間部上に上階の外壁１２が設置されている場合、この外壁１２によって跳出し床１が下方に押し付けられるので、跳出し床１の中間部と下階の外壁２とは連結する必要はないが、上階の外壁１２に掃出し窓用の開口部１３が形成されている場合、この開口部１３下の跳出し床の中間部は、下方に押付けられていないか、もしくは押し付けが弱くなる。
したがって、請求項５に記載の発明によれば、開口部下の跳出し床１の中間部にある連結部１５と下階の外壁２とが前記ガセットプレート７によって連結されているので、開口部１３下の跳出し床１の中間部と下階の外壁２とを容易かつ確実に連結することができる。
【００１７】
請求項６に記載の発明は、例えば図７に示すように、請求項４に記載の床の連結構造において、
前記跳出し床１の基端部上に上階の外壁１２が設置されており、この外壁１２に掃出し窓用の開口部１３が形成されている場合、
前記開口部１３下の跳出し床１の基端部と支持部材６とが前記ガセットプレート７によって連結されていることを特徴とする。
【００１８】
跳出し床１の基端部上に上階の外壁１２が設置されている場合、この外壁１２によって跳出し床１が下方に押し付けられるので、跳出し床１の基端部と支持部材とは連結する必要はないが、外壁１２に掃出し窓用の開口部１３が形成されている場合、この開口部１３下の跳出し床１の基端部は、下方に押付けられていないか、もしくは押し付けが弱くなる。
したがって、請求項６に記載の発明によれば、開口部下の跳出し床の基端部と支持部材６とが前記ガセットプレート７によって連結されているので、開口部１３下の跳出し床１の基端部と支持部材６とを容易かつ確実に連結することができる。
【００１９】
請求項７に記載の発明は、例えば図４および図６に示すように、請求項２〜６のいずれか一項に記載の床の連結構造において、
前記ガセットプレート７の第１固定板部７ａは、止着材１０を第１固定板部７ａから跳出し床１に向けて水平に打ち込むことによって、跳出し床１に固定されており、
前記ガセットプレート７の第２固定板部７ｂは、止着材１０を第２固定板部７ｂから支持部材６または下階の外壁２に向けて水平に打ち込むことによって、支持部材６または下階の外壁２に固定されていることを特徴とする。
【００２０】
請求項７に記載の発明によれば、ガセットプレート７の第１固定板部７ａが、水平に打ち込まれた止着材１０によって跳出し床１に固定されており、第２固定板部７ｂが、水平に打ち込まれた止着材１０によって支持部材６または下階の外壁２に固定されているので、跳出し床１に作用する上向きの力に抗して、跳出し床を確実に支持部材６や下階に外壁２に連結できる。
【００２１】
【発明の実施の形態】
以下、図面を参照して本発明の実施の形態について説明する。
（第１の実施の形態）
図１〜図６は本発明の床の連結構造の第１実施の形態を説明するものである。これらの図において、符号１は跳出し床を示す。この跳出し床１は、複数の床パネルを、図１において紙面と直交する方向に接続することによって形成されたものである。床パネルは、框材（芯材）１ａを矩形枠状に組み立て、この矩形枠の上面に合板等からなる面材１ｂを取り付けたものであり、矩形枠の内側には必要に応じて補強芯材が組み付けられている。
【００２２】
前記跳出し床１は、その中間部が１階（下階）の外壁２によって下方から支持されており、中間部より先端側が１階の外壁２から外側に跳出している。１階の外壁２は、複数の外壁パネルを、図１において紙面と直交する方向に接続することによって形成されたものである。外壁パネルは、框材２ａを矩形枠状に組み立て、この矩形枠の両面に合板等からなる面材２ｂ，２ｂを取り付けたものであり、矩形枠の内側には必要に応じて補強芯材が組み付けられている。なお、複数の外壁パネルによって形成された外壁２の屋外側の表面には、図示は省略するが、サイディング等の外装材が胴縁を介して取り付けられている。また、外壁２の上端面には、調整材３が固定されている。
また、跳出し床１の先端部上面には、手摺壁４が取り付けられており、先端部下面には垂れ壁５が取り付けられている。
【００２３】
跳出し床１の基端部は、建物内に設けられたまぐさ等の支持部材６によって下方から支持されている。つまり、跳出し床１の基端部は支持部材６の上面略前半分に設置されて支持されている。
この跳出し床１の基端部と支持部材６とは鋼製のガセットプレート７によって連結されている。
ガセットプレート７は、図２および図３に示すように、正面視において略長方形の薄板状のもので、第１固定板部７ａと第２固定板部７ｂと傾斜板部７ｃとによって一体的に形成されている。
【００２４】
第１固定板部７ａは、跳出し床１の基端部の芯材１ａに釘等の止着材と接着剤によって固定されるものであり、左右方向に所定間隔で複数の釘穴７ｄが形成されている。第２固定板部７ｂは、支持部材６に釘等の止着材と接着剤によって固定されるものであり、第１固定板部７ａと平行に設けられ、さらに、左右方向に所定間隔で複数の釘穴７ｄが形成されている。傾斜板部７ｃは第１固定板部７ａと第２固定板部７ｂとを連結するものであり、第１固定板部７ａおよび第２固定板部７ｂに対して所定角度傾斜している。この傾斜板部７ｃの傾斜角度は、跳出し床１基端部の芯材１ａの裏面１ｃと、支持部材６の前面６ａとの間の段差に応じて適宜調整されるものである。例えば、この傾斜角度は３０°程度以下に設定されている。このように傾斜角度を設定することによって、前記段差を吸収することができ、また、例えば跳出し床１からガセットプレート７に引張力が作用した場合に、ガセットプレート７の上下方向の変位量（伸び）にあまり影響を与えることがない。これに対して例えば、前記傾斜角が３０°を大きく越えて９０°程度と大きい場合、ガセットプレート７に引張力が作用した場合に、ガセットプレートの上下方向の変位量（伸び）が大きくなってしまい、不具合を生じてしまう。
【００２５】
上記のようなガセットプレート７は、図１および図４に示すように、その第１固定板部７ａを、跳出し床１基端部の芯材１ａの裏面１ｃに当接して接着剤によて接着したうえで、釘等の止着材１０を第１固定板部７ａから芯材１ａに水平に打ち込むととともに、第２固定板部７ｂを、支持部材６の前面６ａに当接して接着剤によって接着したうえで、釘等の止着材１０を第２固定板部７ｂから支持部材６に水平に打ち込むことによって固定されている。また、跳出し床１の基端部には、その表面から長尺なビス１１が芯材１ａを貫通したうえで、支持部材６まで打ち込むかねじ込まれている。このようにして、跳出し床１の基端部と支持部材６とがのガセットプレート７によって強固に連結されている。
また、支持部材６の上面略後半分には、他の床８の先端部が載置されたうえで固定され、跳出し床１と支持部材６上で接合されている。なお、他の床８も跳出し床と同様に、複数の床パネルを接合することによって形成されている。
そして、上述したように、ガセットプレート７の第１固定板部７ａが、跳出し床１基端部の芯材１ａの裏面１ｃに固定され、第２固定板部７ｂが支持部材６の前面６ａに固定されているので、他の床８が邪魔になることなく、跳出し床１の基端部を支持部材６に容易かつ確実に連結できる。
【００２６】
また、跳出し床１の中間部上には、２階の外壁１２が設置されている。この２階の外壁１２は、複数の外壁パネルを図１において紙面と直交する方向に接続することによって形成されたものであり、手摺壁４と対向する部分の外壁１２は、図５に示すように、左右２枚の外壁パネル１２ａ，１２ａと、これら外壁パネル１２ａ，１２ａの上端部間に設けられた小壁パネル１２ｂと、外壁パネル１２ａ，１２ａの下端部間に設けられた架設材１２ｃと備えている。そして、外壁パネル１２ａ，１２ａ、小壁パネル１２ｂ、架設材１２ｃとによって囲まれた空間部分が、掃出し窓用の開口部１３とされている。
そして、この開口部１３下の跳出し床１の中間部にある連結部１５と下階の外壁２とが前記ガセットプレート７によって連結されている。
【００２７】
すなわち、跳出し床１の中間部には、図１、図５、図６に示すように、埋木（連結部）１５が跳出し床１の幅全体に亙って設けられている。この埋木１５にガセットプレート７の第１固定板部７ａが釘等の止着材１０によって固定されており、外壁２の上端部にある調整材３にガセットプレート７の第２固定板部７ｂが止着材１０によって固定されている。また、ガセットプレート１５は開口部１３下に位置する埋木１５と調整材３とを連結している。
このようにして、跳出し床１の中間部と１階の外壁２とはガセットプレート７によって強固に連結されている。
【００２８】
本実施の形態の形態によれば、跳出し床１基端部の芯材１ａの裏面１ｃと支持部材６の前面６ａとの間に段差が生じているが、この段差をガセットプレート７の傾斜板部７ｃによって吸収して、ガセットプレート７の第１固定板部７ａを跳出し床１基端部の芯材１ａ確実に固定でき、第２固定板部７ｂを支持部材６に確実に固定できる。したがって、跳出し床１の基端部と、この基端部を支持する支持部材６とを容易かつ確実に連結することができる。
また、跳出し床１の基端部と支持部材６との間の段差は、跳出し床１基端部の芯材１ａの厚さや、支持部材６の厚さによって、違ってくるが、傾斜板部７ｃの傾斜角を調整することによって、跳出し床１の基端部と支持部材６との間の段差の違いに容易に対応できる。
【００２９】
また、跳出し床１の中間部は１階の外壁２によって下方から支持されているので、跳出し床１に下方から風等による吹き上げによって力が作用すると、跳出し床１の中間部には上方に持ち上げられるような力が作用するが、跳出し床１の中間部にある埋木１５と１階の外壁２とがガセットプレート７によって連結されているので、持ち上げられる力に抗して、跳出し床１の中間部と１階の外壁２を確実に連結することができる。
また、跳出し床１の中間部にある埋木１５と１階の外壁２との間に段差が生じている場合に、この段差をガセットプレート７の傾斜板部７ｃによって吸収して、ガセットプレート７の第１固定板部７ａを跳出し床１の埋木１５に確実に固定でき、第２固定板部７ｂを１階の外壁２に確実に固定できる。したがって、跳出し床１の中間部と、この中間部を支持する１階の外壁２とを容易かつ確実に連結することができる。
【００３０】
さらに、２階の外壁１２に掃出し窓用の開口部１３が形成されている場合、この開口部１３下の跳出し床１の中間部は、下方に押付けられていないか、もしくは押し付けが弱くなるが、本実施の形態では、開口部１３下の跳出し床１の中間部と下階の外壁２とがガセットプレート７によって連結されているので、開口部１３下の跳出し床１の中間部と１階の外壁２とを容易かつ確実に連結することができる。
また、ガセットプレート７の第１固定板部７ａが、水平に打ち込まれた止着材１０と接着剤によって跳出し床１に固定されており、第２固定板部７ｂが、水平に打ち込まれた止着材１０と接着剤によって支持部材６や１階の外壁２に固定されているので、跳出し床１に作用する上向きの力に抗して、跳出し床１を確実に支持部材６や１階に外壁２に連結できる。
【００３１】
（第２の実施の形態）
図７は本発明に係る床の連結構造の第２の実施の形態を示すものである。なお、図７に床の連結構造において、図１〜図６に示した床の連結構造と共通構成部分には、同一符号を付してその説明を簡略化または省略する。
図７に示す床の連結構造では、２階の外壁１２が、１階の外壁２より内側に配置されており、これによって跳出し床１の跳出し長さが、第１の実施の形態の場合に比して長くなっている。
２階の外壁１２は、跳出し床１の基端部を下方から支持する支持部材６の上方に跳出し床１の基端部および他の床８の先端部を介して設置されており、支持部材６によって支持されている。
【００３２】
２階の外壁１２は、図５に示したものと同様の構成となっており、掃出し窓用の開口部１３を有している。したがって、この開口部１３下の跳出し床１の基端部は、下方に押付けられていないか、もしくは押し付けが弱くなる。
したがって、本実施の形態では、開口下の跳出し床１基端部の芯材１ａと、支持部材６がガセットプレート７によって強固に連結されている。よって、開口部１３下の跳出し床１の基端部と支持部材６とを容易かつ確実に連結することができる。
また、跳出し床１の中間部は１階の外壁２によって下方から支持されているが、第１の実施の形態とは異なり２階の外壁１２は中間部上には設置されていない。
したがって、本実施の形態では、跳出し床１の中間部に埋木１５が跳出し床１の幅全体に亙って設られており、この埋木１５と１階の外壁２とが幅全体に亙って所定間隔で、複数のガセットプレート７によって強固に連結されている。よって、跳出し床１の中間部と、この中間部を支持する１階の外壁２とを容易かつ確実に連結することができる。
【００３３】
【発明の効果】
以上説明したように、請求項１に記載の発明によれば、床の基端部と支持部材との間に段差が生じている場合に、床の基端部とこの基端部を支持する支持部材とをガセットプレートによって容易かつ確実に連結することができる。
また、ガセットプレートの傾斜板部の傾斜角を調整することによって、床の基端部と支持部材との間の段差の違いに容易に対応できる。
【００３４】
請求項２に記載の発明によれば、跳出し床の基端部と支持部材との間に段差が生じている場合に、跳出し床の基端部とこの基端部を支持する支持部材とをガセットプレートによって容易かつ確実に連結することができる。
また、ガセットプレートの傾斜板部の傾斜角を調整することによって、跳出し床の基端部と支持部材との間の段差の違いに容易に対応できる。
【００３５】
請求項３に記載の発明によれば、ガセットプレートの第１固定板部が、跳出し床の基端部の芯材の裏面に固定され、第２固定板部が支持部材の前面に固定されているので、他の床が邪魔になることなく、跳出し床の基端部を支持部材に容易かつ確実に連結できる。
【００３６】
請求項４に記載の発明によれば、跳出し床の中間部にある連結部と下階の外壁とがガセットプレートによって連結されているので、持ち上げられる力に抗して、跳出し床の中間部と下階の外壁を確実に連結することができる。
また、跳出し床の中間部と下階の外壁との間に段差が生じている場合に、跳出し床の中間部と、この中間部を支持する下階の外壁とをガセットプレートによって容易かつ確実に連結することができる。
【００３７】
請求項５に記載の発明によれば、開口部下の跳出し床の中間部と下階の外壁とをガセットプレートによって容易かつ確実に連結することができる。
【００３８】
請求項６に記載の発明によれば、開口部下の跳出し床の基端部と支持部材とをガセットプレートによって容易かつ確実に連結することができる。
【００３９】
請求項７に記載の発明によれば、跳出し床に作用する上向きの力に抗して、跳出し床を確実に支持部材や下階に外壁に連結できる。
【図面の簡単な説明】
【図１】本発明の床の連結構造の第１の実施の形態を示すもので、側断面図である。
【図２】同、ガセットプレートの正面図である。
【図３】同、ガセットプレートの断面図である。
【図４】同、跳出し床の基端部を示す側断面図である。
【図５】同、図１におけるＡ―Ａ線視断面図である。
【図６】同、跳出し床の中間部を示す断面図である。
【図７】本発明の床の連結構造の第２の実施の形態を示すもので、側断面図である。
【符号の説明】
１  跳出し床（床）
２  １階の外壁（下階の外壁）
６  支持部材
７  ガセットプレート
７ａ  第１固定板部
７ｂ  第２固定板部
７ｃ  傾斜板部
１０  止着材
１２  ２階の外壁（上階の外壁）
１３  開口部
１５  埋木（連結部）
【図１】
2004176274.tif 000003
【図２】
2004176274.tif 000004
【図３】
2004176274.tif 000005
【図４】
2004176274.tif 000006
【図５】
2004176274.tif 000007
【図６】
2004176274.tif 000008
【図７】
2004176274.tif 000009